(57)【要約】  【課題】特別な装置を設けることなく、商品の取出口を上方に設けることができ、商品購入者が商品取出し時に腰を曲げる、かがむ等の動作を緩和することができ、商品の取出し性を向上することができる自動販売機を提供する。  【解決手段】商品収納部１０５と取出口１０７の間に傾斜して配されたシュート１０８を備える自動販売機１０１において、シュート１０８の滑り面１０８ａに対し通気孔１１８がわずかに低まる位置関係にあり、通気孔１１８外周部が滑り面１０８ａと通気孔１１８との間でなだらかな傾斜を有する凹部１１９を構成したことから、商品１２０と滑り面１０８ａとの接触面積を小さくし、通常の滑り性はもとより結露条件、汚れ条件においても摩擦抵抗を小さくすることができるため、シュートの傾斜角を小さくでき、商品の多収容化または取出口の位置を上方に構成することができる。【選択図】図１
2008217552.tif 000002
【特許請求の範囲】
【請求項１】
商品払出装置を備えた商品収納部の下方に配置され、前記商品払出装置から払い出された商品が落下して滑降または転動するように傾斜して配された商品シュートを備える自動販売機において、前記シュート面には多数の通気孔を備え、前記通気孔は前記シュート面よりも下方に開口して形成され、前記通気孔外周縁部が前記シュート面と前記通気孔との間でなだらかな傾斜部を有するように構成したことを特徴とする自動販売機。
【請求項２】
前記通気孔は略円状に形成されており、通気孔外周縁部は前記通気孔の周囲に同心円状の形状で構成されたことを特徴とする請求項１に記載の自動販売機。
【請求項３】
前記通気孔は隣接する通気孔と千鳥状に配置したことを特徴とする請求項１または２に記載の自動販売機。
【請求項４】
前記通気孔は略長穴形状をしており、通気孔外周縁部は前記通気孔の周囲に同心円状の形状で構成されたことを特徴とする請求項１に記載の自動販売機。
【請求項５】
前記通気孔が長穴形状をしており、前記通気孔の長手方向がシュートの傾斜方向と同一になるよう構成したことを特徴とする請求項１または４に記載の自動販売機。
【請求項６】
前記通気孔が長穴形状をしており、隣り合う前記通気孔は長手方向に対し半ピッチずらした位置で隣接するように配置したことを特徴とする請求項５に記載の自動販売機。
【発明の詳細な説明】
【技術分野】
【０００１】
本発明は、商品払出装置を備えた商品収納室から搬出された商品を商品シュートを介して商品取出口に送出する自動販売機に関するものである。
【背景技術】
【０００２】
従来、この種の自動販売機は、シュート上の商品を緩やかな傾斜面で搬送するために、シュート面を振動させるものがある（たとえば、特許文献１参照）。
【０００３】
図５は、特許文献１に記載された従来の自動販売機を示すものである。図５において、自動販売機１の内側天井部に吊り下げられ横方向に複数並ぶ商品収納部２と自動販売機１前面下部に設けられた取出口３との間に、商品収納部２より搬出された商品４が滑降または転動する様に傾斜して配されたシュート５を備えている。
【０００４】
また、このシュート５の背面上にはモータ６が支持されており、モータ６の出力軸には偏芯板７が取り付けられている。このモータ６と偏芯板７がシュート５に振動を与える加振装置を形成し、モータ６により回転駆動される偏芯板７の長径部外周面がシュート５に間欠的に衝突する衝撃によってシュート５は振動する。
【０００５】
以上のように構成された自動販売機について、以下その動作を説明する。
【０００６】
商品収納部２より商品４が落下搬出される商品４の搬出時、モータ６が運転され、これにより偏芯板７が回転する。この回転により偏芯板７の長径部外周面がシュート５の背面を間欠的にたたいてシュート５を振動させる。この振動によりシュート５上に落下した商品４はシュート５上を滑降または転動するきっかけを与えられるため、シュート５の傾斜角度を小さくすることができる。
【特許文献１】特開平５−２８３５０号公報
【発明の開示】
【発明が解決しようとする課題】
【０００７】
しかしながら、上記従来の構成では、加振装置を形成しなくてはならないため、その取付けのためのスペース確保、加振装置動作時の雰囲気温度、湿度等の悪条件時における信頼性の確保，コストアップなどの不利な点があった。
【０００８】
本発明は、上記従来の課題を解決するもので、特別な装置を設けることなくシュートの傾斜角を小さくすることができるため、商品の取出口を上方に設けることができ、商品購入者が商品受け取り時に腰を曲げる、かがむ等の動作を緩和することができ、商品の取出し性を向上することができる自動販売機を提供することを目的とする。
【課題を解決するための手段】
【０００９】
上記従来の課題を解決するために、本発明の自動販売機は、商品払出装置を備えた商品収納部の下方に配置され、前記商品払出装置から払い出された商品が落下して滑降または転動するように傾斜して配された商品シュートを備える自動販売機において、前記シュート面には多数の通気孔を備え、前記通気孔は前記シュート面よりも下方に開口して形成され、前記通気孔外周縁部が前記シュート面と前記通気孔との間でなだらかな傾斜部を有するものである。
【００１０】
このことから、商品がシュート上を滑降または転動して払い出される際に、商品とシュートの滑り面との接触面積を小さくすることができ、通常の滑り性はもとより結露条件、汚れ条件においても摩擦抵抗を小さくすることができる。この結果、シュートの傾斜角を小さくする目的が達成できる。
【発明の効果】
【００１１】
本発明の自動販売機は、商品がシュート上を滑降または転動して払い出される際に、商品とシュート傾斜面との接触面積を小さくすることができ、通常の滑り性はもとより結露条件、汚れ条件においても摩擦抵抗を小さくすることができるので、商品詰まりを低減できるとともに、シュートの傾斜角を小さくすることができるので、商品収納部下部の商品搬送スペースをコンパクト設計することができ、商品収容効率をアップすることができる。
【発明を実施するための最良の形態】
【００１２】
請求項１に記載の発明は、商品払出装置を備えた商品収納部の下方に配置され、前記商品払出装置から払い出された商品が落下して滑降または転動するように傾斜して配された商品シュートを備える自動販売機において、前記シュート面には多数の通気孔を備え、前記通気孔は前記シュート面よりも下方に開口して形成され、前記通気孔外周縁部が前記シュート面と前記通気孔との間でなだらかな傾斜部を有するものである。
【００１３】
これによって、商品がシュート上を滑降または転動して払い出される際に、商品とシュートの滑り面との接触面積を小さくすることができ、摩擦抵抗を小さくすることができる。また、結露等により商品あるいはシュートの滑り面上に水滴等の付着がある場合においても、水分の粘性等による滑り性の悪化を抑止することができる。また、長期使用においてシュートの滑り面に対し粉塵等の付着がある場合でも商品を払い出す際に粉塵が通気孔（凹部）へ落とし込まれるため滑り面の自浄作用が働き、摩擦抵抗の増加を抑止することができる。これらから、シュートの傾斜角を小さくすることができる。
【００１４】
請求項２に記載の発明は、請求項１に記載の発明において、前記通気孔は略円状に形成されており、通気孔外周縁部は前記通気孔の周囲に同心円状の形状で構成されたものである。
【００１５】
これによって、シュート下部からの空気の対流を促進しながら、ホーミングや商品詰まりを低減することができる。
【００１６】
請求項３に記載の発明は、請求項１または２に記載の発明において、前記通気孔は隣接する通気孔と千鳥状に配置したものである。
【００１７】
これによってシュートの滑り面に対して均一の接触面を構成することができ、商品の滑り方向等にかかわらず滑り性を安定させることができる。
【００１８】
請求項４に記載の発明は、請求項１に記載の発明において、前記通気孔は略長穴形状をしており、通気孔外周縁部は前記通気孔の周囲に同心円状の形状で構成したものである。
【００１９】
これによって、商品の滑走方向に対して最適な接触面を構成でき、また真円に近い開口形状に比べ、長穴形状の開口形状は開口面積の上で有利であり、穴数を減らすなどの工数削減ができる。
【００２０】
請求項５に記載の発明は、請求項１または４に記載の発明において、前記通気孔が長穴形状をしており、前記通気孔の長手方向がシュートの傾斜方向と同一になるよう構成したものである。
【００２１】
これによって、商品の滑走方向に対し、シュートの滑り面に最適な接触面を構成することができ、さらに滑り性を向上することができる。
【００２２】
請求項６に記載の発明は、請求項５に記載の発明において、前記通気孔が長穴形状をしており、隣り合う前記通気孔は長手方向に対し半ピッチずらした位置で隣接するように配置したものである。
【００２３】
これによって、シュートの滑り面に対して均一の接触面を構成することができ、商品の滑り方向に対し、滑り性を安定させることができる。
【００２４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２５】
（実施の形態１）
図１は、本発明の実施の形態１における自動販売機の側面図である。
【００２６】
図１において、本発明の自動販売機１０１は自動販売機本体１０２とその前面を開閉する外扉１０３を備えている。外扉１０３と自動販売機本体１０２の間には内扉１０４が配置され、本体１０２の前面を開閉自在に構成されている。自動販売機本体１０２内には缶商品などを収納する複数の商品収納部１０５を形成し、商品は上下に積み重ねて収納されている。商品収納部１０５の下部には、選択された商品を搬出する商品払出装置１０６が商品収納部１０５ごとに配置されている。
【００２７】
商品払出装置１０６の下方には、搬出された商品を外扉１０３に構成した取出口１０７へ排出するシュート１０８が傾斜配置して形成されている。また内扉１０４の下部には搬出扉１０９があり、取出口１０７とシュート１０８の間に構成され、販売待機時は搬出扉１０９によって、この間が仕切られている状態となっている。
【００２８】
シュート１０８の下部には、冷却システムを構成する蒸発器１１０や加温装置（図示しない）が配置され、各室へは庫内ファン１１１によって収納室内を所定温度に冷却または加温する。
【００２９】
また自動販売機本体１０２の下部には断熱板１１２で区画された機械室１１３が形成されており、機械室１１３の前方側には冷却システムの凝縮器１１４を配置し、その後方に凝縮器ファン１１５が備えられ、凝縮器ファン１１５によって自動販売機１０１の前方から空気を吸い込み凝縮器１１４を通過して風下側にある蒸発皿（図示しない）や圧縮機１１６に導かれる構成となっている。
【００３０】
図２は本発明の実施の形態１における自動販売機のシュートの斜視図である。
【００３１】
シュート１０８の滑り面１０８ａには対称形状を有する商品誘導板１１７がシュート１０８のそれぞれ左右端またはどちらか一方に配されている。取出口１０７近辺の商品誘導板１１７は、シュート１０８の滑り面１０８ａに対して、鉛直方向に立直した立直面１１７ａを備えており、またこの立直面１１７ａは取出口１０７からある所定の間隔をあけた位置に配されている。
【００３２】
シュート１０８の滑り面１０８ａには、通気用の通気孔１１８を多数備えるが、本実施の形態の図３の自動販売機の要部斜視図に示すように、通気孔１１８はシュート１０８の滑り面１０８ａよりもわずかに低まる位置関係にあり、通気孔１１８外周部が滑り面と通気孔１１８との間でなだらかな傾斜を有する凹部１１９を有し，この通気孔１１８は真円に近い形状をしており、かつ通気孔１１８が他の隣接する通気孔１１８との間隔が一定（半ピッチ分ずれた千鳥状の配列）となるように配置されている。
【００３３】
以上のように構成された自動販売機について、以下その動作、作用を説明する。
【００３４】
商品購入時に任意の商品払出装置作動により、商品１２０は商品収納部１０５の下積みの方から１個だけ搬出される。この時商品１２０はシュート１０８に接触するまで自由落下し、それ以降は、商品１２０はシュート１０８の滑り面上を滑降または転動し、途中商品誘導板１１７による方向規制を受けつつ取出口１０７の方に誘導される。
【００３５】
この商品１２０がシュート１０８上を滑降または転動して取出口１０７まで誘導される過程について以下説明する。商品１２０が滑降する場合においては、シュート１０８の滑り面１０８ａ上に、通気用の通気孔１１８を多数備えるが、通気孔１１８はシュート１０８の滑り面１０８ａよりもわずかに低まる位置関係にあり、通気孔１１８外周部が滑り面１０８ａと通気孔１１８との間でなだらかな傾斜を有する凹部１１９を有し，この凹部１１９は真円に近い形状をしており、かつ通気孔１１８が他の隣接する通気孔１１８との間隔が一定（半ピッチ分ずれた千鳥状の配列）となるように配置されている。
【００３６】
このように千鳥状に配置することで、通気孔１１８が形成されていないシュート面を同一形状で、同一面積に構成することができ、商品にかかる摩擦力を均一にすることができるので、滑走途中で商品姿勢が変化するのを低減し、ホーミングを低減することができる。
【００３７】
このため商品１２０とシュート１０８の滑り面１０８ａとの接触面積が非常に小さなものにでき、商品１２０とシュート１０８の滑り面１０８ａの間の滑り抵抗を小さくすることができ、凹部１１９の方向性による滑り抵抗のばらつきを抑えることができ、かつ、長期使用による、シュート１０８の滑り面１０８ａ上に塵埃等が付着しても、商品１２０滑降時にシュート１０８の滑り面１０８ａに付着した塵埃は滑り面１０８ａより低まった位置にある通気孔１１８側（凹部）に落ち込むため、塵埃による滑り抵抗の増加を抑制できる。
【００３８】
また、これに加えて、シュート１０８の滑り面１０８ａに対し、通気孔１１８はシュート１０８の滑り面１０８ａよりもわずかに低まる位置関係にあるため、通気孔１１８の端面がシュート１０８の滑り面１０８ａよりも低い位置にあり、通気孔１１８の端面が商品１２０と接触することを抑止することができ、商品１２０のアイテムの違いなどによる滑り抵抗の急激な増加やばらつきを抑えることができる。
【００３９】
上記のように、シュート１０８面上でのホーミングや商品詰まりを防止でき、シュート１０８の下方に構成された蒸発器１１０や加温装置からの空気を庫内ファン１１１によって、強制送風し、通気孔１１８を介して商品収納部１０５内へ連通されるので、庫内の温調を維持しながら商品詰まりを低減することができる。
【００４０】
（実施の形態２）
図４は、本発明の実施の形態２における自動販売機のシュートの斜視図である。
【００４１】
シュート１０８の滑り面１０８ａには、図４に示すように対称形状を有する商品誘導板１１７がシュート１０８のそれぞれ左右端またはどちらか一方に配されている。取出口１０７近辺の商品誘導板１１７は、シュート１０８の滑り面１０８ａに対して、鉛直方向に立直した立直面１１７ａを備えており、またこの立直面１１７ａは取出口１０７からある所定の間隔をあけた位置に配されている。
【００４２】
シュート１０８の滑り面１０８ａには、通気用の通気孔１１８を多数備えるが、図４に示すように、通気孔１１８はシュート１０８の滑り面１０８ａよりもわずかに低まる位置関係にあり、通気孔１１８外周部が滑り面１０８ａと通気孔１１８との間でなだらかな傾斜を有する凹部１１９を有し，この通気孔１１８は長穴形状に近い形状をしており、かつ通気孔１１８長手方向に対し半ピッチずらした位置（千鳥状の配列）で隣接する様配置され、かつ通気孔１１８の長手方向が商品１２０の滑走する方向と同一となるよう構成されている。
【００４３】
以上のように構成された自動販売機について、以下その動作、作用を説明する。
【００４４】
商品１２０購入時に任意の商品払出装置１０６作動により、商品１２０は商品収納部１０５の下積みの方から１個だけ搬出される。この時商品１２０はシュート１０８に接触するまで自由落下し、それ以降は、商品１２０はシュート１０８の滑り面１０８ａ上を滑降または転動し、途中商品誘導板１１７による方向規制を受けつつ取出口１０７の方に誘導される。
【００４５】
この商品１２０がシュート１０８上を滑降または転動して取出口１０７まで誘導される過程について以下説明する。商品１２０が滑降する場合においては、シュート１０８の滑り面１０８ａ上に、通気用の通気孔１１８を多数備えるが、通気孔１１８はシュート１０８の滑り面１０８ａよりもわずかに低まる位置関係にあり、通気孔１１８外周部が滑り面１０８ａと通気孔１１８との間でなだらかな傾斜を有する凹部１１９を有し，この通気孔１１８は長穴形状に近い形状をしており、かつ通気孔１１８長手方向に対し半ピッチずらした位置（千鳥状の配列）で隣接する様に配置されている。
【００４６】
また通気孔１１８の長手方向が商品１２０の滑走する方向と同一となるよう構成されているため、商品１２０とシュート１０８の滑り面１０８ａとの接触面積が非常に小さなものにでき、商品１２０とシュート１０８の滑り面１０８ａの間の滑り抵抗を小さくすることができる。
【００４７】
また、商品誘導板１１７により、商品１２０が滑降または転動する方向を規制される際は、商品１２０は商品誘導板１１７に沿うかたちにて、滑降または転動するが、この時、通気孔１１８は長径方向を商品誘導板１１７に沿った方向、すなわち商品１２０の滑降する方向に配置しているため、商品１２０が商品誘導板１１７に沿って滑降する際に、良好な滑り性を得ることができる。
【００４８】
また、長期使用による、シュート１０８の滑り面１０８ａ上に塵埃等が付着しても、商品１２０滑降時にシュート１０８の滑り面１０８ａに付着した塵埃は滑り面１０８ａより低まった位置にある通気孔１１８側（凹部１１９）に落ち込むため、塵埃による滑り抵抗の増加を抑制できる。
【００４９】
また、これに加えて、シュート１０８の滑り面１０８ａに対し、通気孔１１８はシュート１０８の滑り面１０８ａよりもわずかに低まる位置関係にあるため、通気孔１１８の端面がシュート１０８の滑り面１０８ａよりも低い位置にあり、通気孔１１８の端面が商品１２０と接触することを抑止することができ、商品１２０のアイテムの違いなどによる滑り抵抗の急激な増加やばらつきを抑えることができる。
【産業上の利用可能性】
【００５０】
以上のように、本発明にかかる自動販売機は、商品払出時のシュート上での滑り性を向上することができるため、シュートの傾斜角度を小さくすることができ、商品の多収容化および取出口を上方へ移動することができる。
【図面の簡単な説明】
【００５１】
【図１】本発明の実施の形態１における自動販売機の側面図
【図２】同実施の形態の自動販売機の要部斜視図
【図３】同実施の形態の自動販売機の要部斜視図
【図４】本発明の実施の形態２における自動販売機の要部斜視図
【図５】従来の自動販売機の断面図
【符号の説明】
【００５２】
１０１  自動販売機
１０２  自動販売機本体
１０５  商品収納部
１０６  商品払出装置
１０７  取出口
１０８  シュート（商品シュート）
１０８ａ  滑り面
１１８  通気孔
１１９  凹部
１２０  商品
【図１】
2008217552.tif 000003
【図２】
2008217552.tif 000004
【図３】
2008217552.tif 000005
【図４】
2008217552.tif 000006
【図５】
2008217552.tif 000007